(57)【要約】【課題】電子機器の動作中における電池の残量を精度よく検出する。【解決手段】基準負荷を選択し（ステップＳＡ２）、バッテリ切替順位（接続順位）を作成する（ステップＳＡ３）。切替順位（１）であって、前記ステップＳＡ２で選択された基準負荷に接続されているバッテリのバッテリ残量を検出する（ステップＳＡ４）。このバッテリ残量を検出した際における基準負荷の動作状態を記憶する（ステップＳＡ５）。ステップＳＡ３で作成したバッテリ切替順位に基づいて、基準負荷を切り替える（ステップＳＡ６）。ステップＳＡ５で記憶した動作状態と同一の動作状態となった時点で、基準負荷が接続されているバッテリのバッテリ残量を検出する（ステップＳＡ７）。全バッテリの残量検出を完了したか否かを判断し（ステップＳＡ８）、完了するまでステップＳＡ６からの処理を繰り返す。【選択図】図２
2010081699.tif 000002
【特許請求の範囲】
【請求項１】
複数の電池を電源として動作する電子機器において、
当該電子機器が有する負荷のうちのいずれかである基準とする負荷を、前記複数の電池に順次接続させる第１の接続制御手段と、
この第１の接続制御手段により前記基準とする負荷が接続された電池の残量を順次検出する検出手段と
を備えることを特徴とする電子機器。
【請求項２】
前記第１の接続制御手段は、前記接続前と接続後の電池間において、各々接続されている負荷の接続を切りかえることを特徴とする請求項１記載の電子機器。
【請求項３】
前記第１の接続制御手段は、負荷の接続を切りかえる前に一度初期の各電池に対する負荷の接続状態にすることを特徴とする請求項２記載の電子機器。
【請求項４】
当該電子機器が有する負荷のいずれかを予め選択する選択手段を備え、
前記検出手段は、前記選択手段により選択された負荷を前記基準とする負荷として、前記電池の残量を順次検出することを特徴とする請求項１から３にいずれか記載の電子機器。
【請求項５】
前記選択手段は、前記電子機器が有する各負荷の大きさに基づき、当該各負荷のいずれかを前記基準とする負荷として選択することを特徴とする請求項４記載の電子機器。
【請求項６】
前記選択手段は、前記電子機器が有する各負荷のうち、最も小さい負荷を前記基準とする負荷として選択することを特徴とする請求項５記載の電子機器。
【請求項７】
前記各電池の前記基準とする負荷への接続順位を作成する作成手段を備え、
前記第１の接続制御手段は、前記作成手段により作成された接続順位に従って前記基準とする負荷を、前記複数の電池に順次接続させることを特徴とする請求項１から６にいずれか記載の電子機器。
【請求項８】
前記作成手段は、前記各電池に接続されている負荷の大きさに基づき、前記接続順位を作成することを特徴とする請求項７記載の電子機器。
【請求項９】
前記作成手段は、前記各電池に接続されている負荷の小さい順に、前記接続順位を作成することを特徴とする請求項８記載の電子機器。
【請求項１０】
前記検出手段は、
前記基準とする負荷が接続された最初の電池の残量を検出した際に、当該基準とする負荷の動作状態を記憶する記憶手段を備え、
この記憶手段に記憶された動作状態と同一の動作状態において、前記最初の電池以外の他の電池の残量を順次検出することを特徴とする請求項１から９にいずれか記載の電子機器。
【請求項１１】
前記検出手段は、前記第１の接続制御手段により前記基準とする負荷が接続されてから所定時間経過した後に、当該電池の残量を検出することを特徴とする請求項１から１０にいずれか記載の電子機器。
【請求項１２】
前記検出手段により検出された各電池の残量に基づき、当該電子機器が有する負荷と前記複数の電池との接続関係を制御する第２の接続制御手段を備えることを特徴とする請求項１から１１にいずれか記載の電子機器。
【請求項１３】
前記第２の接続制御手段は、当該電子機器が有する負荷の大きさと前記複数の電池の各残量の大きさとが比例関係になるように、前記接続関係を制御することを特徴とする請求項１２記載の電子機器。
【請求項１４】
複数の電池を電源として動作する電子機器が有するコンピュータを、
当該電子機器が有する負荷のうちいずれかである基準とする負荷を、前記複数の電池に順次接続させる接続制御手段と、
この接続制御手段により前記基準とする負荷が接続された電池の残量を順次検出する検出手段と
して機能させることを特徴とする電子機器制御プログラム。
【請求項１５】
複数の電池を電源として動作する電子機器における電池残量検出方法において、
当該電子機器が有する負荷のうちいずれかである基準とする負荷を、前記複数の電池に順次接続させる接続制御工程と、
この接続制御工程により前記基準とする負荷が接続された電池の残量を順次検出する検出工程と
を含むことを特徴とする電池残量検出方法。
【発明の詳細な説明】
【技術分野】
【０００１】
本発明は、電池を電源として動作する電子機器、該電子機器の制御プログラム及び電池残量検出方法に関するものである。
【背景技術】
【０００２】
従来、例えば、プロジェクタ等のように、消費電力が比較的大きな電子機器においては、電池により動作させる場合、単一の電池のみを使用して各部に必要な電力を供給する構成とすると、放電限界、放電効率においてデメリットが生ずるのみならず、過負荷などが生ずる。このため、これらを解消して当該電子機器の使用時間を延ばすために、複数個のセル（電池）を使用して構成された組バッテリを設け、各部に必要な電力を供給することが知られている（例えば、特許文献１参照）。
【特許文献１】特開平８−９５６０号公報
【発明の開示】
【発明が解決しようとする課題】
【０００３】
しかしながら、当該電子機器において複数のセルを使用すると、セル間において電池残量に差異が生ずる。したがって、このように残量に差異が生ずる複数のセルを用いつつ、当該電子機器の使用時間を延ばすためには、各セルの残量に応じて異なる負荷に接続する制御、つまり残量に応じた接続負荷制御を行うことが好ましい。また、このように残量に応じた接続負荷制御を行うためには、その前提条件として各セルの残量を精度よく検出することが不可欠となる。
【０００４】
このとき、各セルの電池残量は、当該電子機器における各負荷の動作中において行い、さらにその動作に影響を及ぼすことなく行うことが理想的である。しかし、各セルの電池残量は、当該電子機器における各負荷の動作に伴って時々刻々と変化する上に、各セルに接続されている負荷の大きさまたは動作特性も負荷毎に異なる。したがって、単純に対応する負荷に接続されている状態における各セルの電池残量（電圧）を検出しても、平等条件で各セルの電池残量（電圧）を検出することができない。よって、各セルの残量を精度よく検出することができず、その結果、残量に応じた適正な接続負荷制御を行うことも困難となってしまう。
【０００５】
本発明は、かかる従来の課題に鑑みてなされたものであり、残量に応じた適正な接続負荷制御を行うことを可能とするため、電子機器の動作中における電池の残量を精度よく検出する電子機器、電子機器制御プログラム及び電池残量検出方法を提供することを目的とする。
【課題を解決するための手段】
【０００６】
前記課題を解決するために請求項１記載の発明に係る電子機器にあっては、複数の電池を電源として動作する電子機器において、当該電子機器が有する負荷のうちのいずれかである基準とする負荷を、前記複数の電池に順次接続させる第１の接続制御手段と、この第１の接続制御手段により前記基準とする負荷が接続された電池の残量を順次検出する検出手段とを備えることを特徴とする。
【０００７】
また、請求項２記載の発明に係る電子機器にあっては、前記第１の接続制御手段は、前記接続前と接続後の電池間において、各々接続されている負荷の接続を切りかえることを特徴とする。
【０００８】
また、請求項３記載の発明に係る電子機器にあっては、前記第１の接続制御手段は、負荷の接続を切りかえる前に一度初期の各電池に対する負荷の接続状態にすることを特徴とする。
【０００９】
また、請求項４記載の発明に係る電子機器にあっては、当該電子機器が有する負荷のいずれかを予め選択する選択手段を備え、前記検出手段は、前記選択手段により選択された負荷を前記基準とする負荷として、前記電池の残量を順次検出することを特徴とする。
【００１０】
また、請求項５記載の発明に係る電子機器にあっては、前記選択手段は、前記電子機器が有する各負荷の大きさに基づき、当該各負荷のいずれかを前記基準とする負荷として選択することを特徴とする。
【００１１】
また、請求項６記載の発明に係る電子機器にあっては、前記選択手段は、前記電子機器が有する各負荷のうち、最も小さい負荷を前記基準とする負荷として選択することを特徴とする。
【００１２】
また、請求項７記載の発明に係る電子機器にあっては、前記各電池の前記基準とする負荷への接続順位を作成する作成手段を備え、前記第１の接続制御手段は、前記作成手段により作成された接続順位に従って前記基準とする負荷を、前記複数の電池に順次接続させることを特徴とする。
【００１３】
また、請求項８記載の発明に係る電子機器にあっては、前記作成手段は、前記各電池に接続されている負荷の大きさに基づき、前記接続順位を作成することを特徴とする。
【００１４】
また、請求項９記載の発明に係る電子機器にあっては、前記作成手段は、前記各電池に接続されている負荷の小さい順に、前記接続順位を作成することを特徴とする。
【００１５】
また、請求項１０記載の発明に係る電子機器にあっては、前記検出手段は、前記基準とする負荷が接続された最初の電池の残量を検出した際に、当該基準とする負荷の動作状態を記憶する記憶手段を備え、この記憶手段に記憶された動作状態と同一の動作状態において、前記最初の電池以外の他の電池の残量を順次検出することを特徴とする。
【００１６】
また、請求項１１記載の発明に係る電子機器にあっては、前記検出手段は、前記第１の接続制御手段により前記基準とする負荷が接続されてから所定時間経過した後に、当該電池の残量を検出することを特徴とする。
【００１７】
また、請求項１２記載の発明に係る電子機器にあっては、前記検出手段により検出された各電池の残量に基づき、当該電子機器が有する負荷と前記複数の電池との接続関係を制御する第２の接続制御手段を備えることを特徴とする。
【００１８】
また、請求項１３記載の発明に係る電子機器にあっては、前記第２の接続制御手段は、当該電子機器が有する負荷の大きさと前記複数の電池の各残量の大きさとが比例関係になるように、前記接続関係を制御することを特徴とする。
【００１９】
また、請求項１４記載の発明に係る電子機器制御プログラムにあっては、複数の電池を電源として動作する電子機器が有するコンピュータを、当該電子機器が有する負荷のうちいずれかである基準とする負荷を、前記複数の電池に順次接続させる接続制御手段と、この接続制御手段により前記基準とする負荷が接続された電池の残量を順次検出する検出手段として機能させることを特徴とする。
【００２０】
また、請求項１５記載の発明に係る電池残量検出方法にあっては、複数の電池を電源として動作する電子機器における電池残量検出方法において、当該電子機器が有する負荷のうちいずれかである基準とする負荷を、前記複数の電池に順次接続させる接続制御工程と、この接続制御工程により前記基準とする負荷が接続された電池の残量を順次検出する検出工程とを含むことを特徴とする。
【発明の効果】
【００２１】
本発明によれば、電子機器の動作中における電池の残量を精度よく検出することができる。これより、電池残量に応じた適正な接続負荷制御を行うことを可能にして、当該電子機器の使用時間を延ばすことができるようになる。
【発明を実施するための最良の形態】
【００２２】
以下、本発明の一実施の形態を図にしたがって説明する。
（第１の実施形態）
図１は、本発明の各実施の形態に共通するプロジェクタ１の電気的構成を示すブロック図である。このプロジェクタ１は、充電可能なバッテリユニット２９を電源として動作するものであって、バッテリ切替回路３３、電圧検出回路２８、制御部１１、入出力インターフェイス１２、画像変換部１３、表示エンコーダ１４、表示駆動部１５等を有する。
【００２３】
バッテリユニット２９は、各々独立して設けられた第１バッテリ２９１、第２バッテリ２９２、第３バッテリ２９３及び第４バッテリ２９４で構成されている。バッテリ切替回路３３は、後述するように第１〜第４バッテリ２９１〜２９４の接続対象を切り替える回路であり、バッテリ切替回路３３により切り替えられた対象に対して、各バッテリ２９１〜２９４か電力が供給される。また、電圧検出回路２８は、バッテリ切替回路３３により切り替えられた状態において、第１〜第４バッテリ２９１〜２９４の電圧を検出する回路である。制御部１１は、この電圧検出回路２８により検出された電圧に基づき、第１〜第４バッテリ２９１〜２９４のバッテリ残量を検出する。
【００２４】
一方、入出力コネクタ部１６から入力された各種規格の画像信号（画像データ）は、入出力インターフェイス１２、システムバス１７を介して、画像変換部１３で表示に適した所定フォーマットの画像信号に統一するように変換された後、表示エンコーダ１４に送られる。表示エンコーダ１４は、送られてきた画像信号をビデオＲＡＭ１８に展開記憶させた上で、このビデオＲＡＭ１８の記憶内容からビデオ信号を生成して表示駆動部１５に出力するものである。
【００２５】
表示エンコーダ１４からビデオ信号が入力される表示駆動部１５は、送られてきた画像信号に対応して適宜フレームレートで空間的光変調素子（ＳＯＭ）である表示素子１９を駆動する。そして、ランプを有する光源装置２０から射出された光線束を、光源側光学系を介して表示素子１９に入射することにより、表示素子１９の反射光で光像を形成し、投影側光学系とする可動レンズ群２１を介して図示しないスクリーンに画像を投影表示する。この投影側光学系の可動レンズ群２１は、レンズモータ２２によりズーム調整やフォーカス調整のための駆動が行われる。前記光源装置２０は、Ｒ（赤）色を発光するＲ−ＬＥＤ２０Ｒ、Ｇ（緑）色を発光するＧ−ＬＥＤ２０Ｇ、及びＢ（青）色を発光するＢ−ＬＥＤで構成されている。
【００２６】
画像圧縮／伸張部２３は、画像信号における輝度信号及び色差信号をＡＤＴＣ及びハフマン符号化等の処理により、データ圧縮して着脱自在な記録媒体であるメモリカード２４に書き込む記録処理や、メモリカード２４に記録された画像データを読み出して、一連の動画を構成する個々の画像データを１フレーム単位で伸張して画像変換部１３を介して表示エンコーダ１４に送り、メモリカード２４に記憶された画像データに基づいて動画等の表示を可能にするものである。
【００２７】
制御部１１は、プロジェクタ１内における各回路の動作を制御するものであって、ＣＰＵ及びその周辺回路、ＲＯＭ１１１、ＲＡＭ１１２等で構成されている。ＲＯＭ１１１には、各種セッティング等のプログラム、後述するフローチャートにより示すプログラムやデータ等が予め記憶されており、ＲＡＭ１１２は、ワークメモリ等として使用される。
【００２８】
また、制御部１１には、システムバス１７を介して音声処理部３０が接続されており、音声処理部３０はＰＣＭ音源等の音源回路を備え、投影モード及び再生モード時には、音声データをアナログ化し、スピーカ３１を駆動して拡声放音させることができる。
【００２９】
キー／インジケータ部２５は、本体ケース等に設けられているメインキー及びインジケータ、当該プロジェクタ１の起動時に点灯するランプや表示部等により構成される。これらインジケータ等は制御部１１により表示及び点滅制御され、各種キーの操作信号は制御部１１に送出される。また、リモートコントローラからのキー操作信号は、Ｉｒ受信部２６で受信され、Ｉｒ処理部２７で復調されてコード信号が制御部１１に送られる。また、制御部１１は、光源制御回路３２を制御することにより、画像信号に応じてＲ−ＬＥＤ２０Ｒ、Ｇ−ＬＥＤ２０Ｇ、Ｂ−ＬＥＤを時分割制御する。
【００３０】
なお、本実施の形態において、前記バッテリ切替回路３３が切り替える第１〜第４バッテリ２９１〜２９４の接続対象は、図３（ａ）に示すようにＲ−ＬＥＤ２０Ｒ、Ｇ−ＬＥＤ２０Ｇ、Ｂ−ＬＥＤ及びシステム３４であるものとする。ここで、システム３４は、Ｒ−ＬＥＤ２０Ｒ、Ｇ−ＬＥＤ２０Ｇ、Ｂ−ＬＥＤを除く当該プロジェクタ１の全体を意味する。
【００３１】
以上の構成に係る本実施の形態において、プロジェクタ１の制御部１１は電源ＯＮに伴って、ＲＯＭ１１１に記憶されたプログラムに基づき、図２のフローチャートに示すように処理を実行する。すなわち、制御部１１は所定のタイミング毎にバッテリ残量検出指示を行って、電圧検出回路２８とバッテリ切替回路３３とを起動する（ステップＳＡ１）。
【００３２】
次に、各バッテリのバッテリ残量を検出する際に接続されている負荷である基準負荷を選択する（ステップＳＡ２）。この基準負荷の選択は、図３（ａ）に示す現時点における各バッテリ２９１〜２９４の負荷接続状態と接続されている負荷の大小関係とに基づくものである。なお、この接続状態における負荷の大小関係は、
システム（３４）＜Ｒ−ＬＥＤ（２０Ｒ）＝Ｂ−ＬＥＤ（２０Ｂ）＜Ｇ−ＬＥＤ（２０Ｇ）
であり、システム３４が最も負荷が小さいものとする。
また、図３（ｂ）に示すように、この接続状態において最も負荷の小さいものを基準負荷として選択する。このとき、前述のように現時点においてはシステム３４の負荷が最も小さいことから、基準負荷としてシステム３４が選択されることとなる。
【００３３】
次に、接続されている負荷に基づきバッテリ切替順位（基準負荷への接続順位）を作成する（ステップＳＡ３）。このバッテリ切替順位は、前記基準負荷に接続させるバッテリの接続順序である。また、このバッテリ切替順位の作成は、前記バッテリ２９１〜２９４に接続されている負荷の大小関係に基づいて行い、負荷の小さい順に切替順位（１）（２）（３）（４）を設定する。したがって、前述のように負荷の大小関係が
システム＜Ｒ−ＬＥＤ＝Ｂ−ＬＥＤ＜Ｇ−ＬＥＤ
である本例においては、図３（ｂ）にも示したように下記の接続順位（１）〜（４）が設定されることとなる。
（１）第４バッテリ（システムに接続中）
（２）第１バッテリ（Ｒ−ＬＥＤに接続中）
（３）第３バッテリ（Ｂ−ＬＥＤに接続中）
（４）第２バッテリ（Ｇ−ＬＥＤに接続中）
【００３４】
このように基準負荷及び各バッテリの基準負荷への接続順位が設定されると、引き続き、切替順位（１）であって、前記ステップＳＡ２で選択された基準負荷に接続されているバッテリのバッテリ残量を検出する（ステップＳＡ４）。したがって、このステップＳＡ４においては、図４（ａ）に示すように、基準負荷であるシステム３４に接続されている第４バッテリ２９４のバッテリ残量が検出されることとなる。
【００３５】
さらに、このバッテリ残量を検出した際における基準負荷の動作状態（基準負荷に対するバッテリ残量の検出タイミング）を記憶する（ステップＳＡ５）。
【００３６】
つまり、前述のようにシステム３４は、Ｒ−ＬＥＤ２０Ｒ、Ｇ−ＬＥＤ２０Ｇ、Ｂ−ＬＥＤを除く当該プロジェクタ１の全体であることから、例えばバッテリ残量を検出した際、レンズモータ２２が動作中であったか否か、音声処理部３０やスピーカ３１が動作中であった否か等の動作状態に応じて、負荷の大きさは異なし、仮にＲ−ＬＥＤ２０Ｒが基準負荷であったとしても、このＲ−ＬＥＤ２０Ｒが点灯中のときと点灯していないときの負荷の大きさは異なる。
【００３７】
このようにバッテリ残量を検出するタイミングにおける基準負荷の動作状態に応じて検出されるバッテリ残量の値が異なってしまうことから、最初のバッテリ（この場合第４バッテリ２９４）の残量検出時における基準負荷の動作状態をステップＳＡ５において記憶しておくことにより、後述するように、基準負荷への接続を切り替えて他のバッテリの残量を検出する際、平等条件で残量検出を行うことができる。
【００３８】
なお、システム３４に限らず、ＬＥＤ２９１〜２９４に関しても同様であり、当該ＬＥＤが連続点灯しているか、パルス点灯しているか、如何なる電圧で点灯しているか等の動作状態により、負荷の大きさは異なる。したがって、ＬＥＤ２９１〜２９４が基準負荷として選択された場合には、ステップＳＡ５においてＬＥＤ２９１〜２９４のバッテリ残量検出時の動作状態が記憶されることとなる。
【００３９】
次に、前記ステップＳＡ３で作成したバッテリ切替順位に基づいて、基準負荷に接続されるバッテリを切り替える（ステップＳＡ６）。したがって、前記ステップＳＡ３で作成したバッテリ切替順位において、次の切替順位である切替順位（２）のバッテリは、第１バッテリ２９１であることから、図４（ｂ）に示すように、基準負荷であるシステム３４を第１バッテリ２９１に切り替える。また、これと同時に、その直前まで基準負荷であるシステム３４が接続されていた第４バッテリ２９４に、その直前まで切替順位（２）の第１バッテリ２９１に接続されていたＲ−ＬＥＤ２０Ｒを接続させて両バッテリの接続負荷を切り替える。
【００４０】
そして、このように切り替えを完了したならば、基準負荷であるシステム３４が前記ステップＳＡ５で記憶した動作状態と同一の動作状態となった時点、同検出タイミングとなった時点で、基準負荷であるシステム３４が接続されている第１バッテリ２９１のバッテリ残量を検出する（ステップＳＡ７）。
【００４１】
次に、全バッテリの残量検出を完了したか否かを判断し（ステップＳＡ８）、完了するまでステップＳＡ６からの処理を繰り返す。これにより、切替順位（３）の第３バッテリ２９３及び切替順位（４）の第２バッテリ２９２に対しても、ステップＳＡ６及びステップＳＡ７の処理が実行されることとなる。
【００４２】
すなわち、切替順位（３）のバッテリは、第３バッテリ２９３であることから、図４（ｃ）に示すように、基準負荷であるシステム３４を第３バッテリ２９３に切り替える。また、これと同時に、その直前まで基準負荷であるシステム３４が接続されていた第１バッテリ２９１に、その直前まで切替順位（３）の第３バッテリ２９３に接続されていたＢ−ＬＥＤ２０Ｂを接続させて切り替える。このように切り替えを完了したならば、基準負荷であるシステム３４が前記ステップＳＡ５で記憶した動作状態と同一の動作状態となった時点で、基準負荷であるシステム３４が接続されている第３バッテリ２９３のバッテリ残量を検出する（ステップＳＡ７）。
【００４３】
また、切替順位（４）のバッテリは、第２バッテリ２９２であることから、図４（ｄ）に示すように、基準負荷であるシステム３４を第２バッテリ２９２に切り替える。また、これと同時に、その直前まで基準負荷であるシステム３４が接続されていた第３バッテリ２９３に、その直前まで切替順位（４）の第２バッテリ２９２に接続されていたＧ−ＬＥＤ２０Ｇを接続させて切り替える。このように切り替えを完了したならば、基準負荷であるシステム３４が前記ステップＳＡ５で記憶した動作状態と同一の動作状態となった時点で、基準負荷であるシステム３４が接続されている第２バッテリ２９２のバッテリ残量を検出する（ステップＳＡ７）。
【００４４】
また、
・切替順位（１）の第４バッテリ２９４のバッテリ残量はステップＳＡ４での処理により、
・切替順位（２）の第１バッテリ２９１のバッテリ残量は１回目のステップＳＡ７での処理により、
・切替順位（３）の第３バッテリ２９３のバッテリ残量は２回目のステップＳＡ７での処理により、
・切替順位（４）の第２バッテリ２９２のバッテリ残量は３回目のステップＳＡ７での処理により、
各々検出される。
【００４５】
そして、これら各バッテリ残量の検出は、同一の基準負荷に接続され、かつ、当該基準負荷が同一の動作状態にある時点で行われる。したがって、平等条件で各バッテリ２９１〜２９４の残量を検出することができ、これにより、各バッテリ２９１〜２９４の残量を精度よく検出することができる。
【００４６】
さらには、バッテリの切替順位はかけられる負荷の大きさが小さい順であるため、かけられる負荷の大きさが近いもの同士を切り替えることとなり、切り替え後にバッテリ残量が足りないことによる負荷が動作しない等の不具合の発生の恐れを少なくすることができる。
【００４７】
また、ステップＳＡ３で前記切替順位（１）〜（４）を作成し、この作成した切替順位に従ってバッテリ切替を実行することから、バッテリ切替を円滑かつ迅速に行うことができる。
【００４８】
また、この切替順位（１）〜（４）は、バッテリ残量の検出直前に各バッテリに接続されている負荷の大きさに基づいて作成されることから、接続されている負荷の大きさに応じた適切な切替順位を作成することができる。
【００４９】
しかも、前記切替順位（１）〜（４）は、各バッテリに接続されている負荷の小さい順であることから、後述するステップＳＡ９で最も小さい負荷が接続される残量が少ないバッテリの残量を優先して検出することができる。
【００５０】
また、ステップＳＡ２においては、各バッテリ２９１〜２９４に接続されている負荷の大きさを検出し、この検出した負荷の大きさに基づき基準負荷を選択することから、適正な基準負荷を選択することができる。
【００５１】
しかも、この選択する基準負荷は、最も小さい負荷であることから、この基準負荷を各バッテリ２９１〜２９４に接続させた際に、接続されたバッテリ２９１〜２９４が容量不足で、残量検出が不可能となる事態が発生する恐れを少なくすることができる。
【００５２】
以上のようにして、全バッテリ２９１〜２９４の残量検出を完了したならば、ステップＳＡ８からステップＳＡ９に進み、前記検出した各バッテリのバッテリ残量値に基づいて、接続負荷を切り替える。つまり、バッテリ残量に応じた接続負荷制御を行う。このバッテリ残量に応じた接続負荷制御を適正に行うためには、前述のようにその前提条件として各バッテリ２９１〜２９４の残量を精度よく検出することが不可欠となる。
【００５３】
しかし、本実施の形態においては、前述のように各バッテリ２９１〜２９４の残量を精度よく検出できることから、前記前提条件を充足するものとなり、バッテリ残量に応じた接続負荷制御を適正に行うことができる。
【００５４】
このバッテリ残量に応じた接続負荷制御に際しては、バッテリ２９１〜２９４の残量と負荷の大きさとを比例させて行う。つまり、残量が多いバッテリほど大きな負荷に接続させる。これにより、バッテリ２９１〜２９４の残量を効率的に使用して、プロジェクタ１の使用時間を延ばすことできる。
【００５５】
なお、ステップＳＡ７でバッテリの残量検出する処理は、ステップＳＡ６で基準負荷等を切り替えた後、所定時間経過してから実行する。これにより、負荷切替後電圧が安定してから、バッテリ２９１〜２９４の残量を検出することができ、より正確なバッテリの残量検出が可能となる。
【００５６】
（第２の実施の形態）
図５は、本発明の第２の実施の形態における基準負荷等とバッテリの切替手順を示す説明図である。
各バッテリの切り替え方法が異なるものである。すなわち、前記ステップＳＡ４での処理により、切替順位（１）であって、前記ステップＳＡ２で選択された基準負荷に接続されているバッテリのバッテリ残量を検出する。したがって、このステップＳＡ４においては、図５（ａ）に示す状態（以下、初期状態という）にあり、基準負荷であるシステム３４に接続されている第４バッテリ２９４のバッテリ残量が検出されることとなる。さらに、このバッテリ残量を検出した際における基準負荷の動作状態（基準負荷に対するバッテリ残量の検出タイミング）を記憶する（ステップＳＡ５）。
【００５７】
次に、前記ステップＳＡ３で作成したバッテリ切替順位に基づいて、基準負荷を切り替える（ステップＳＡ６）。したがって、前記ステップＳＡ３で作成したバッテリ切替順位において、次の切替順位である切替順位（２）のバッテリは、第１バッテリ２９１であることから、図５（ｂ）に示すように、基準負荷であるシステム３４を第１バッテリ２９１に切り替える。また、これと同時に、その直前まで基準負荷であるシステム３４が接続されていた第４バッテリ２９４に、その直前まで切替順位（２）の第１バッテリ２９１に接続されていたＲ−ＬＥＤ２０Ｒを接続させて切り替える。
【００５８】
そして、このように切り替えを完了したならば、基準負荷であるシステム３４が前記ステップＳＡ５で記憶した動作状態と同一の動作状態となった時点、同検出タイミングとなった時点で、基準負荷であるシステム３４が接続されている第１バッテリ２９１のバッテリ残量を検出する（ステップＳＡ７）。ここまでの切替手順は第１の実施の形態と同様である。
【００５９】
次に、全バッテリの残量検出を完了したか否かを判断し（ステップＳＡ８）、完了するまでステップＳＡ６からの処理を繰り返す。これにより、切替順位（３）及び（４）のバッテリに対しても、ステップＳＡ６及びステップＳＡ７の処理が実行される。
【００６０】
すなわち、切替順位（３）のバッテリは、第３バッテリであることから、図５（ｃ）に示すように、基準負荷であるシステム３４を第３バッテリ２９３に切り替える。また、これと同時に、当該第３バッテリ２９３に接続されていたＢ−ＬＥＤ２０Ｂを初期状態で基準負荷であるシステム３４が接続されていた第４バッテリ２９４（図５（ａ）参照）に接続させ、かつ、Ｒ−ＬＥＤ２０Ｒを初期状態（第１バッテリ２９１との接続状態）に戻す。
【００６１】
また、切替順位（４）のバッテリは、第２バッテリであることから、図５（ｄ）に示すように、基準負荷であるシステム３４を第２バッテリ２９２に切り替える。また、これと同時に、当該第２バッテリ２９２に接続されていたＧ−ＬＥＤ２０Ｇを初期状態で基準負荷であるシステム３４が接続されていた第４バッテリ２９４（図５（ａ）参照）に接続させ、かつ、Ｂ−ＬＥＤ２０Ｂを初期状態（第３バッテリ２９３との接続状態）に戻す。
【００６２】
つまり、本実施の形態において、基準負荷を他のバッテリに切り替える際には、以下の処理を行う。
（１）当該他のバッテリに接続されていた負荷を初期状態で基準負荷が接続されていたバッテリに切り替える。
（２）当該他のバッテリの残量検出が終了した時点で、接続を初期状態に戻す。つまり、当該他のバッテリに初期状態の負荷を接続させる。
【００６３】
したがって、本実施の形態によれば、その時点でバッテリ残量の検出に関係のないバッテリと負荷との接続関係を初期状態に維持することができる。これにより、前述のようにステップＳＡ９で形成されるバッテリ残量に応じた適正な接続状態を可及的に維持しつつ、バッテリの切替制御を行うことができる。
【００６４】
また、図５（ｄ）の状態から同図（ａ）の初期状態に復帰する切替も容易となる。つまり、バッテリ残量検出の結果、バッテリ残量に応じた適正な接続状態が維持されている場合、バッテリ２９１〜２９４の残量バランスも崩れておらず、ステップＳＡ９の処理で再度前回と同一の接続状態に切り替えるべき場合が頻繁に生ずることが考えられる。このように、再度前回と同一の接続状態に切り替えるべき場合には、図５（ｄ）の状態から同図（ａ）の初期状態に復帰するのみの切替により、容易に前回と同一の接続状態にすることができる。
【００６５】
なお、本実施の形態においては、ステップＳＡ３で接続されている負荷に基づきバッテリ切替順位を作成する際に、負荷の小さい順に切替順位（１）（２）（３）（４）を設定するようにしたが、前回のバッテリ残量検出時（ステップＳＡ４、ＳＡ７）において検出されたバッテリ残量の多い順に切替順位（１）（２）（３）（４）を設定するようにしてもよい。
また、上述の実施の形態においては、基準負荷はステップＳＡ２で負荷の大きさが最小となるものを選択することで、各バッテリに接続を切りかえた際にバッテリの容量不足で残量検出できない恐れを軽減できるとしたが、これに限らず、例えば動作状態のバリエーションが少ないものを基準負荷として選択することで、バッテリ検出時の基準負荷の動作状態を同一状態で検出することが容易となる。また、基準負荷は、できるだけ負荷の小さく、使用頻度が高く、且つ動作バリエーションの少ない負荷を予め設定しておく構成としても良い。
【００６６】
また、本実施の形態においては、ステップＳＡ５で基準負荷の動作状態を記憶するようにしたが、常に一定の電圧値がかかる負荷等の状態が普遍的な負荷を基準負荷として選択するようにすれば、前記動作状態の記憶を不要とすることができる。
【００６７】
また、ステップＳＡ６で接続切替を行った後、負荷が動作可能か否かを判断し、動作不可能であった場合には、切替を取り消して動作の継続を優先させるようにしてもよい。この場合、キー／インジケータ部２５に当該バッテリやその残量を表示させて、ユーザに警告するようにすればよい。
また、上述の実施の形態においてステップＳＡ９で接続順位を切りかえる際に、バッテリ残量と負荷の大きさとを比例させることとしたが、これに限るものではない。つまり、このように適正なバッテリ残量を検出して、接続負荷を切りかえる目的はプロジェクタ１の動作時間を延ばすためであることから、大きい負荷の動作であって、仮に停止してもプロジェクタ１としての投影動作に直ちに支障をきたさないような負荷に対しては、例外的にバッテリ残量の少ないバッテリを接続する構成としても良い。
【００６８】
また、バッテリに関しては、各バッテリの容量（満充電池）は、同一であっても異なってもよい。また、バッテリ数と負荷数に関しても同一である必要はなく、バッテリ数＜負荷数であっても、バッテリ数＞負荷数であってもよい。バッテリ数＜負荷数である場合には、一つのバッテリに複数の負荷が接続されることとなるが、この場合は一つのバッテリに接続されている複数の負荷を単一の負荷として取り扱えば、前述した実施の形態と同様
【００６９】
さらに、本実施の形態においては、本発明をプロジェクタに適用した場合を示したが、プロジェクタに限ることなく、電池を電源として動作する各種電子機器に適用できることは勿論である。
【図面の簡単な説明】
【００７０】
【図１】本発明の一実施の形態に係るプロジェクタの回路構成を示すブロック図である。
【図２】本発明の一実施の形態における処理手順を示すフローチャートである。
【図３】基準負荷の選択手順を示す説明図である。
【図４】本発明の第１の実施の形態における基準負荷等とバッテリの切替手順を示す説明図である。
【図５】本発明の第２の実施の形態における基準負荷等とバッテリの切替手順を示す説明図である。
【符号の説明】
【００７１】
１    プロジェクタ
１１    制御部
１２    入出力インターフェイス
１３    画像変換部
１４    表示エンコーダ
１５    表示駆動部
１７    システムバス
１８    ビデオＲＡＭ
１９    表示素子
２０    光源装置
２０Ｂ    Ｂ−ＬＥＤ
２０Ｇ    Ｇ−ＬＥＤ
２０Ｒ    Ｒ−ＬＥＤ
２５    キー／インジケータ部
３０    音声処理部
３１    スピーカ
１１１    ＲＯＭ
１１２    ＲＡＭ
２９１    第１バッテリ
２９２    第２バッテリ
２９３    第３バッテリ
２９４    第４バッテリ
【図１】
2010081699.tif 000003
【図２】
2010081699.tif 000004
【図３】
2010081699.tif 000005
【図４】
2010081699.tif 000006
【図５】
2010081699.tif 000007